(57)【要約】【課題】外部から警備状態情報を確認することができない。【解決手段】監視センサ１０のセンサコントローラ２０から警備状態情報を検出すると、この警備状態情報を中央警備センタ４０に通報する電話回線接続ポートを備えた警備監視機器５０であって、警備状態情報への閲覧を可能とするＬＡＮ接続ポート５７と、センサコントローラ２０からの警備状態情報を検出すると，この警備状態情報を一時記憶するデータベース６１と、ＬＡＮ接続ポート５７を通じて外部アクセス要求を検出すると、データベース６１に一時記憶中の警備状態情報への閲覧を可能としたアクセス受付部６７Ｂとを備えるようにした。【選択図】　図１
2004102624.tif 000002
【特許請求の範囲】
【請求項１】
警備状態情報を検出すると、この警備状態情報を上位システムに通報する通報出力ポートを備えた警備監視装置であって、
前記警備状態情報へのアクセスを可能とする外部アクセスポートを備えたことを特徴とする警備監視装置。
【請求項２】
前記警備状態情報を検出すると、この警備状態情報を一時記憶するデータベースと、
前記外部アクセスポートを通じて外部アクセス要求を検出すると、前記データベースに一時記憶中の警備状態情報へのアクセスを可能とするアクセス受付手段とを有することを特徴とする請求項１記載の警備監視装置。
【請求項３】
前記データベースに一時記憶中の警備状態情報をインターネット上で公開するウェブ閲覧手段を有し、
前記アクセス受付手段は、
前記外部アクセスポートを通じて前記外部アクセス要求を検出すると、前記データベースに一時記憶中の警備状態情報を前記ウェブ閲覧手段で公開し、この公開した警備状態情報へのアクセスを可能とすることを特徴とする請求項２記載の警備監視装置。
【請求項４】
前記外部アクセスポートを通じて前記外部アクセス要求を検出すると、この外部アクセス要求が許可できるか否かを判定するアクセス要求許可判定手段を有し、
前記アクセス受付手段は、
前記アクセス要求許可判定手段にて前記外部アクセス要求が許可できると判定されると、前記ウェブ閲覧手段で公開した警備状態情報へのアクセスを許可し、前記アクセス要求許可判定手段にて前記外部アクセス要求が許可できないと判定されると、前記ウェブ閲覧手段で公開した警備状態情報へのアクセスを禁止することを特徴とする請求項３記載の警備監視装置。
【請求項５】
前記警備状態情報は、
警備対象を分類識別する警備識別情報と、この警備対象の警備状況を示す警備状況情報とを有し、
前記アクセス受付手段は、
前記外部アクセスポートを通じてアクセス対象の警備対象を指定する外部アクセス要求を検出すると、前記アクセス対象の警備対象に関わる警備状態情報のみを前記ウェブ閲覧手段で公開し、この公開した警備状態情報のみへのアクセスを可能とすることを特徴とする請求項３又は４記載の警備監視装置。
【請求項６】
警備箇所に配置され、ＯＮ動作に応じて警備箇所の異常の有無を検出する監視センサと、
前記外部アクセスポートを通じてアクセス対象の警備箇所に関わる監視センサの動作を制御指示する外部アクセス要求を検出すると、この制御指示に基づいて、前記アクセス対象の警備箇所に関わる監視センサの動作を制御する監視センサ制御手段とを有することを特徴とする請求項３、４又は５記載の警備監視装置。
【発明の詳細な説明】
【０００１】
【発明の属する技術分野】
本発明は、例えば住戸等の警備箇所に配置された監視センサを通じて、同警備箇所の異常の有無を検出する警備監視システム等に使用される警備監視装置に関する。
【０００２】
【従来の技術】
図１２は従来の警備監視システムの概略構成を示すシステム構成図である。
【０００３】
図１２に示す警備監視システム２００は、警備箇所に配置され、同警備箇所の異常の有無を検出する監視センサ２０１と、この監視センサ２０１の検出結果を取得するセンサコントローラ２０２と、監視センサ２０１の配置場所や検出結果等を含む警備状態情報を各センサコントローラ２０２から取得し、この警備状態情報を、公衆網２０３の電話回線を通じて中央警備センタ２０４に通報する警備監視機器２０５とを有している。
【０００４】
監視センサ２０１は、例えば一軒家、マンションやアパート等の集合住宅の玄関や窓等の警備箇所に配置されるものである。
【０００５】
センサコントローラ２０２は、例えば住戸内の柱や壁等に配置され、その管理する監視センサ２０１と接続して、この監視センサ２０１の動作を制御するものである。
【０００６】
また、センサコントローラ２０２は、監視センサ２０１による監視動作を行う警備モードを有し、この警備モードが設定されると、監視センサ２０１をＯＮ動作して、この監視センサ２０１の配置場所や警備モードの設定有無を示すコントローラ状態や、その監視センサ２０１の異常検出の有無を示すセンサ状態等を含む、前述した警備状態情報を警備監視機器２０５に送信するものである。
【０００７】
また、警備監視機器２０５は、各センサコントローラ２０２と無線接続しながら、中央警備センタ２０４との間を電話回線で有線接続し、各センサコントローラ２０２から警備状態情報を受信すると、これら警備状態情報を、電話回線を通じて中央警備センタ２０４に通報するものである。尚、警備監視機器２０５は、例えば警備監視システム２００をマンション等に採用した場合、例えば管理人室等に配置されるものとする。
【０００８】
中央警備センタ２０４は、公衆網２０３の電話回線を通じて、警備監視機器２０５と接続するルータ２０６と、警備監視機器２０５からの各センサコントローラ２０２の警備状態情報を集中管理する警備センタサーバ２０７と、この警備センタサーバ２０７にアクセス可能なＰＣ端末２０８とを有している。尚、ＰＣ端末２０８では、警備センタサーバ２０７で集中管理する各センサコントローラ２０２の警備状態情報を閲覧することができる。
【０００９】
このような従来の警備監視システム２００によれば、警備監視機器２０５が警備モード設定中のセンサコントローラ２０２から警備状態情報を受信すると、この最新の警備状態情報を、電話回線を通じて中央警備センタ２０４に通報するようにしたので、中央警備センタ２０４側では、各警備箇所に赴かなくても、各警備箇所の最新の警備状態情報を逐次把握することができる。
【００１０】
尚、このような従来の警備監視システム２００においては、警備監視機器２０５が最新の警備状態情報を中央警備センタ２０４に通報する際、警備監視機器２０５と接続する電話回線を使用することになるが、この警備監視機器２０５の出力ポートは１電話回線分しか確保されていないため、警備状態情報の緊急性を考慮すると、この出力ポートを常に警備状態情報通報用として確保しておく必要がある。
【００１１】
【発明が解決しようとする課題】
しかしながら、上記従来の警備監視システム２００によれば、ユーザ自らがセンサコントローラ２０２の配置場所に赴いて所定操作を実行することで、そのセンサコントローラ２０２を警備モードに設定するようにしたが、同警備箇所のセンサコントローラ２０２を警備モードに設定したか否かは、ユーザがセンサコントローラ２０２の配置場所に赴かなければ、警備モード設定の有無等を含む警備状態情報を確認することができない。
【００１２】
そこで、このような事態に対処すべく、中央警備センタ２０４のオペレータに直接電話をして各警備箇所に関わる警備モードの設定有無を確認することも考えられるが、中央警備センタ２０４側の負担が大きくなる。
【００１３】
また、警備監視機器２０５に直接電話をかけて確認する方法も考えられるが、そもそも、警備監視機器２０５の出力ポートは警備状態情報通報用に１回線分しか確保されていないことから、同出力ポートを警備状態情報の通報以外の用途に使用した場合には、警備監視機器２０５が最新の警備状態情報を中央警備センタ２０４に迅速に通報することができないといった事態も考えられる。
【００１４】
本発明は上記点に鑑みてなされたものであり、その目的とするところは、最新の警備状態情報を上位システムに通報する手段を確保しながら、外部から最新の警備状態情報へのアクセスを可能にした警備監視装置を提供することにある。
【００１５】
【課題を解決するための手段】
上記目的を達成するために本発明の警備監視装置は、警備状態情報を検出すると、この警備状態情報を上位システムに通報する通報出力ポートを備えた警備監視装置であって、前記警備状態情報へのアクセスを可能とする外部アクセスポートを備えるようにした。
【００１６】
警備監視装置は、例えば警備監視システムの監視センサを管理するセンサコントローラ及び、上位システムである中央警備センタ間に配置された警備監視機器に相当するものである。
【００１７】
警備状態情報とは、例えば監視センサを管理するセンサコントローラから得られるものであり、警備対象を分類識別する警備識別情報と、この警備対象の警備状況を示す警備状況情報とを有している。警備識別情報とは、例えば監視センサの配置場所（配置場所ＩＤ：警備箇所）や警備箇所の入居者名（入居者ＩＤ）等に相当し、警備状況情報とは、例えば警備モードの設定の有無を示すコントローラ状態や、警備箇所における異常検出の有無を示すセンサ状態等に相当するものである。
【００１８】
通報出力ポートは、警備状態情報を検出すると、この警備状態情報を上位システムに通報する、例えば電話回線接続ポートに相当するものである。
【００１９】
外部アクセスポートは、警備状態情報へのアクセスを可能とする、例えばＬＡＮ接続ポートに相当するものである。尚、警備状態情報へのアクセスとは、例えば警備監視装置と通信接続することで警備状態情報を閲覧する動作や、警備状態情報の内容を書き換える動作等に相当するものである。
【００２０】
従って、本発明の警備監視装置によれば、通報出力ポート以外の外部アクセスポートで警備状態情報へのアクセスを可能とするようにしたので、最新の警備状態情報を上位システムに通報する通報出力ポートを確保しながら、外部アクセスポートを通じて外部から最新の警備状態情報へのアクセスを可能とする、例えばインターネット経由で最新の警備状態情報を閲覧することができる。
【００２１】
本発明の警備監視装置は、前記警備状態情報を検出すると、この警備状態情報を一時記憶するデータベースと、前記外部アクセスポートを通じて前記外部アクセス要求を検出すると、前記データベースに一時記憶中の警備状態情報へのアクセスを可能とするアクセス受付手段とを有するようにした。
【００２２】
アクセス受付手段は、データベースに一時記憶中の警備状態情報へのアクセスを可能とする、例えばデータベースに一時記憶中の警備状態情報の閲覧を可能とする警備監視機器の外部アクセス制御部内のアクセス受付部に相当するものである。尚、外部アクセス要求とは、例えば携帯電話機やＰＣ端末からインターネット経由で同警備監視装置に通信接続する、この警備監視装置への接続要求に相当するものである。
【００２３】
従って、本発明の警備監視装置によれば、警備状態情報を検出すると、この警備状態情報をデータベースに一時記憶しておき、外部アクセスポートを通じて外部アクセス要求を検出すると、データベースに一時記憶中の警備状態情報へのアクセスを可能にしたので、最新の警備状態情報を上位システムに通報する通報出力ポートを確保しながら、外部アクセスポートを通じて外部から最新の警備状態情報へのアクセスを可能とする、例えばインターネット経由で最新の警備状態情報を閲覧することができる。
【００２４】
本発明の警備監視装置は、前記データベースに一時記憶中の警備状態情報をインターネット上で公開するウェブ閲覧手段を有し、前記アクセス受付手段は、前記外部アクセスポートを通じて前記外部アクセス要求を検出すると、前記データベースに一時記憶中の警備状態情報を前記ウェブ閲覧手段で公開し、この公開した警備状態情報へのアクセスを可能とするようにした。
【００２５】
ウェブ閲覧手段は、データベースに一時記憶中の警備状態情報をインターネット上で公開する、例えばウェブ閲覧部に相当するものである。
【００２６】
アクセス受付手段は、外部アクセスポートを通じて外部アクセス要求を検出すると、データベースに一時記憶中の警備状態情報をウェブ閲覧手段で公開し、この公開した警備状態情報へのアクセスを可能とした、例えばデータベースに一時記憶中の警備状態情報をウェブ閲覧部で公開し、この公開した警備状態情報の閲覧を可能とする警備監視機器の外部アクセス制御部内のアクセス受付部に相当するものである。
【００２７】
従って、本発明の警備監視装置によれば、外部アクセスポートを通じて外部アクセス要求を検出すると、データベースに一時記憶中の警備状態情報をウェブ閲覧手段で公開し、この公開した警備状態情報へのアクセスを可能とするようにしたので、最新の警備状態情報を上位システムに通報する通報出力ポートを確保しながら、外部アクセスポートを通じてウェブ閲覧手段で公開した最新の警備状態情報へのアクセスを可能とし、さらにウェブ機能で最新の警備状態情報へのアクセスを可能とすることから、同時に複数のユーザからアクセスされたとしても、同時に全てのアクセスに対応することができる。例えばインターネット経由で最新の警備状態情報を閲覧できることはもちろんのこと、複数のユーザから同時にアクセスを受けたとしても、同時に最新の警備状態情報を閲覧することができる。
【００２８】
本発明の警備監視装置は、前記外部アクセスポートを通じて前記外部アクセス要求を検出すると、この外部アクセス要求が許可できるか否かを判定するアクセス要求許可判定手段を有し、前記アクセス受付手段は、前記アクセス要求許可判定手段にて前記外部アクセス要求が許可できると判定されると、前記ウェブ閲覧手段で公開した警備状態情報へのアクセスを許可し、前記アクセス要求許可判定手段にて前記外部アクセス要求が許可できないと判定されると、前記ウェブ閲覧手段で公開した警備状態情報へのアクセスを禁止するようにした。
【００２９】
前記アクセス要求許可判定手段は、外部アクセス要求が許可できるか否かを判定する、例えば入居者名、パスワードや連絡先電話番号を予め登録しておき、外部アクセス要求を検出すると、アクセス者に入居者名、パスワードや連絡先電話番号を入力させ、予め登録したデータと照合するアクセス許可判定部に相当するものである。尚、入居者名、パスワードや連絡先電話番号を照合対象とするのではなく、一般的なＩＰアドレス及びパスワード等を照合対象とするようにしても良い。
【００３０】
前記アクセス受付手段は、前記アクセス要求許可判定手段にて外部アクセス要求が許可できると判定された、例えば入居者名、パスワード及び連絡先電話番号が合致した場合には警備状態情報へのアクセスを許可し、前記アクセス要求許可判定手段にて外部アクセスが許可できないと判定された、例えば入居者名、パスワード及び連絡先電話番号が合致しない場合、警備状態情報へのアクセスを禁止するものである。
【００３１】
従って、本発明の警備監視装置によれば、アクセス要求許可判定手段にて前記外部アクセス要求が許可できると判定されると、前記ウェブ閲覧手段で公開した警備状態情報へのアクセスを許可し、前記アクセス要求許可判定手段にて前記外部アクセス要求が許可できないと判定されると、前記ウェブ閲覧手段で公開した警備状態情報へのアクセスを禁止するようにしたので、例えばシステムのユーザ以外の第三者からのアクセスを極力排除することができる。
【００３２】
本発明の警備監視装置は、前記警備状態情報が、警備対象を分類識別する警備識別情報と、この警備対象の警備状況を示す警備状況情報とを有し、前記アクセス受付手段は、前記外部アクセスポートを通じてアクセス対象の警備対象を指定する外部アクセス要求を検出すると、前記アクセス対象の警備対象に関わる警備状態情報のみを前記ウェブ閲覧手段で公開し、この公開した警備状態情報のみへのアクセスを可能とするようにした。
【００３３】
警備状態情報とは、例えば警備対象を分類識別する警備識別情報と、この警備対象の警備状況を示す警備状況情報とを有している。警備識別情報とは、例えば監視センサの配置場所（配置場所ＩＤ；警備箇所）や警備箇所の入居者名（入居者ＩＤ）等に相当し、警備状況情報とは、例えば警備モードの設定の有無を示すコントローラ状態や、警備箇所における異常検出の有無を示すセンサ状態等に相当するものである。
【００３４】
従って、本発明の警備監視装置によれば、前記外部アクセスポートを通じてアクセス対象の警備対象を指定する外部アクセス要求を検出すると、前記アクセス対象の警備対象に関わる警備状態情報のみを前記ウェブ閲覧手段で公開し、この公開した警備状態情報のみへのアクセスを可能としたので、ユーザは、特定した警備対象に関わる警備状態情報だけを閲覧することができる。
【００３５】
本発明の警備監視装置は、警備箇所に配置され、ＯＮ動作に応じて警備箇所の異常の有無を検出する監視センサと、前記外部アクセスポートを通じてアクセス対象の警備箇所に関わる監視センサの動作を制御指示する外部アクセス要求を検出すると、この制御指示に基づいて、前記アクセス対象の警備箇所に関わる監視センサの動作を制御する監視センサ制御手段とを有するようにした。
【００３６】
監視センサ制御手段は、外部アクセスポートを通じてアクセス対象の警備箇所に関わる監視センサの動作を制御指示する外部アクセス要求を検出すると、この制御指示に基づいて、アクセス対象の警備箇所に関わる監視センサの動作を制御する、例えばＯＮ動作させる、警備監視機器内部のコントローラ制御部及びコントローラコマンド部に相当するものである。
【００３７】
従って、本発明の警備監視装置によれば、警備箇所に関わる監視センサの動作を制御指示する外部アクセス要求を検出すると、この制御指示に基づいて、この警備箇所に関わる監視センサの動作を制御するようにしたので、ユーザは、外部からでも警備状態情報を閲覧できることは勿論のこと、監視センサの警備箇所に赴かなくても、遠隔操作で監視センサの動作を制御することができる。
【００３８】
【発明の実施の形態】
以下、図面に基づいて本発明の警備監視装置における実施の形態を示す警備監視システムについて説明する。図１は本実施の形態を示す警備監視システム内部の概略構成を示すシステム構成図である。
【００３９】
図１に示す警備監視システム１は、警備箇所に配置され、同警備箇所の異常の有無を検出する監視センサ１０と、この監視センサ１０の検出結果を取得するセンサコントローラ２０と、監視センサ１０の配置場所や検出結果等を含む警備状態情報を各センサコントローラ２０から受信し、この警備状態情報を一時記憶する機能や、この一時記憶した警備状態情報を、公衆網３０の電話回線を通じて中央警備センタ４０に通報する機能を備えた警備監視機器５０とを有している。
【００４０】
監視センサ１０は、例えば一軒家、マンションやアパート等の集合住宅の玄関や窓等の警備箇所に配置されるものである。
【００４１】
センサコントローラ２０は、例えば住戸内の柱や壁等に配置され、その管理する監視センサ１０と接続して、この監視センサ１０の動作を制御するものである。
【００４２】
警備監視機器５０は、各センサコントローラ２０と無線接続して、各センサコントローラ２０からの警備状態情報を受信すると、この警備状態情報を、電話回線を通じて中央警備センタ４０に通報する機能と、各センサコントローラ２０からの警備状態情報を受信すると、この警備状態情報をデータベース６１に一時記憶する機能と、このデータベース６１に一時記憶中の警備状態情報をウェブ閲覧機能でアクセス可能とする機能とを有している。尚、警備監視機器５０は、例えば警備監視システム１をマンション等に採用した場合、例えば管理人室等に配置されるものとする。
【００４３】
中央警備センタ４０は、公衆網３０の電話回線を通じて、警備監視機器５０と接続するルータ４１と、警備監視機器５０からの各センサコントローラ２０の警備状態情報を集中管理する警備センタサーバ４２と、この警備センタサーバ４２にアクセス可能なＰＣ端末４３とを有している。尚、ＰＣ端末４３では、警備センタサーバ４２で集中管理する各センサコントローラ２０の警備状態情報を閲覧することができる。また、中央警備センタ４０は、インターネット４４を経由して各地区センタ４５に通信接続しているものとする。
【００４４】
図２はセンサコントローラ２０の外観構成を示す説明図である。
【００４５】
図２に示すセンサコントローラ２０は、警備監視機器５０や監視センサ１０と無線接続するための特定省電力アンテナ２１と、警備モードを設定開始する警備開始ボタン２２と、非常警報を発動する非常ボタン２３と、現在の設定モードや監視センサ１０の異常有無等の様々な情報を表示する表示部２４と、警報ブザー音の音量や音種を変更調整する音量／音種調整キー２５と、設定中の警備モードを解除して通常モードに移行するための暗証番号等を入力するテンキー２６等とを有している。
【００４６】
このセンサコントローラ２０は、警備モード及び通常モードの二種類のモードを有し、警備モードが設定されると、監視センサ１０がＯＮ動作することで監視動作を開始し、通常モードが設定されると、監視センサ１０がＯＦＦ動作することで監視動作を解除するものである。
【００４７】
図３は警備監視機器５０の外観構成を示す説明図である。
【００４８】
図３に示す警備監視機器５０は、管理する各センサコントローラ２０と無線接続する特定省電力アンテナ５１と、様々なコマンドを入力する操作部５２と、管理するセンサコントローラ２０のコントローラ状態（通常モード又は警備モード）やセンサ状態（異常あり又は異常なし）等の警備状態情報といった様々な情報を表示する表示部５３と、警報メッセージ等の音声メッセージを音声出力する内蔵スピーカ５４と、現在の電源供給状態を示す電源ＬＥＤ５５と、電話回線と接続して中央警備センタ４０に警備状態情報を通報するための通報出力ポートである電話回線接続ポート５６と、データベース６１に一時記憶中の警備状態情報をウェブ機能で閲覧可能とする外部アクセスポートであるＬＡＮ接続ポート５７とを有している。
【００４９】
この警備監視機器５０には、各センサコントローラ２０の状態を監視する監視モードや、最新の警備状態情報を中央警備センタ４０に通報する通報モード等の動作モードがある。
【００５０】
また、図１に示すように警備監視システム１は、警備監視機器５０のＬＡＮ接続ポート５７と接続するルータ８１と、このルータ８１と接続するインターネット８２と、プロバイダ８３とを有し、ウェブ機能付き携帯電話機９０を使用して、このインターネット８２経由で警備監視機器５０のデータベース６１に一時記憶した警備状態情報を閲覧することができる。
【００５１】
また、携帯電話機９０は、警備監視機器５０のＩＰアドレスに基づいて、インターネット経由で警備監視機器５０とのＬＡＮ接続ポート５７を通じた通信接続が可能となる。尚、警備監視機器５０のＩＰアドレスは固定アドレスとするのではなく、随時変更されるものとし、変更される度に電子メールで変更アドレスを警備監視システム１の関係者（入居者等）に配信するものとする。つまり、システムの関係者以外の第三者からのアクセスを極力排除することができる。
【００５２】
図４は警備監視機器５０内部の概略構成を示すブロック図である。
【００５３】
図４に示す警備監視機器５０は、特定省電力アンテナ５１を通じて各センサコントローラ２０と無線接続するコントローラ通信部６２と、このコントローラ通信部６２にて受信した各センサコントローラ２０からの警備状態情報をデータベース６１に記憶更新するデータ更新部６３と、電話回線接続ポート５６を通じて中央警備センタ４０と有線接続するセンタ通信部６４と、ＬＡＮ接続ポート５７を通じて外部アクセスの通信を確立する外部アクセス通信部６５と、データベース６１に一時記憶中の警備状態情報をインターネット上に公開するウェブ閲覧部６６と、警備監視機器５０の外部アクセスに関わる動作を制御する外部アクセス制御部６７と、センサコントローラ２０に対して動作コマンドを指示するコントローラコマンド部６８とを有している。
【００５４】
外部アクセス制御部６７は、外部アクセス通信部６５を通じて外部アクセス要求を許可するか否かを判定するアクセス要求許可判定部６７Ａと、アクセス要求許可判定部６７Ａにて外部アクセスが許可されると、ウェブ閲覧部６６にて公開した警備状態情報のアクセスを可能とするアクセス受付部６７Ｂと、外部アクセス通信部６５を通じて特定のセンサコントローラ２０の設定モードを設定変更する外部アクセス要求を検出すると、この特定のセンサコントローラ２０の設定モードを設定変更する制御指示をコントローラコマンド部６８に送信するコントローラ制御部６７Ｃとを有している。尚、コントローラコマンド部６８は、コントローラ制御部６７Ｃからの制御指示に基づいて動作コマンドを選択し、この動作コマンドを特定のセンサコントローラ２０に送信するものである。
【００５５】
次に警備状態情報を一時記憶するデータベース６１のテーブル構成について説明する。図５は警備状態情報を一時記憶するデータベース６１全体のテーブル構成を示す説明図、図６はコントローラテーブルのテーブル構成、図７は設置場所テーブルのテーブル構成、図８は入居者テーブルのテーブル構成を示す説明図である。
【００５６】
図５においてデータベース６１は、コントローラテーブル１１０と、設置場所テーブル１２０と、入居者テーブル１３０とを記憶管理し、コントローラテーブル１１０には、各センサコントローラ２０を識別するコントローラＩＤ１００Ａと、各設置場所を識別する設置場所ＩＤ１００Ｂとを記憶管理し、設定場所テーブル１２０には、設置場所ＩＤ１００Ｂと、各住戸の入居者を識別する入居者ＩＤ１００Ｃとを記憶管理し、入居者テーブル１３０には、入居者ＩＤ１００Ｃを有し、これらコントローラテーブル１１０、設置場所テーブル１２０及び入居者テーブル１３０は、コントローラＩＤ１００Ａ、設置場所ＩＤ１００Ｂ及び入居者ＩＤ１００Ｃで関連付けしている。
【００５７】
図６に示すコントローラテーブル１１０には、コントローラＩＤ１００Ａ及び設置場所ＩＤ１００Ｂの他に、センサコントローラ２０の動作状態、例えば警備モード中であるか、又は通常モード中であるかを示すコントローラ状態１１１と、同センサコントローラ２０が管理する監視センサ１０の動作状態、例えば異常ありか、又は異常なしかを示すセンサ状態１１２とを記憶管理している。
【００５８】
図７に示す設置場所テーブル１２０には、設置場所ＩＤ１００Ｂ及び入居者ＩＤ１００Ｃの他に、例えば１号室等の部屋番号１２１と、例えば玄関等の設置場所名１２２とを記憶管理している。
【００５９】
図８に示す入居者テーブル１３０には、入居者ＩＤ１００Ｃの他に、部屋番号１２１の入居者の氏名を示す入居者名１３１と、パスワード１３２と、入居者の連絡先を示す連絡先電話番号１３３とを記憶管理している。
【００６０】
尚、請求項記載の警備監視装置は警備監視機器５０、上位システムは中央警備センタ４０、通報出力ポートは電話回線接続ポート５６、外部アクセスポートはＬＡＮ接続ポート５７、アクセス受付手段はアクセス受付部６７Ｂ、ウェブ閲覧手段はウェブ閲覧部６６、アクセス要求許可判定手段はアクセス要求許可判定部６７Ａ、監視センサ手段はコントローラ制御部６７Ｃ及びコントローラコマンド部６８に相当するものである。
【００６１】
次に本実施の形態を示す警備監視システム１の動作について説明する。図９はセンサコントローラ２０のモード設定処理に関わる処理動作を示すフローチャートである。
【００６２】
図９に示すモード設定処理とは、センサコントローラ２０の動作モードを切替設定するための処理である。
【００６３】
図９においてセンサコントローラ２０は、現在の動作モードが通常モード中であるか否かを判定する（ステップＳ１１）。通常モード中であると判定されると、警備開始ボタン２２が押下されたか否かを判定する（ステップＳ１２）。
【００６４】
センサコントローラ２０は、警備開始ボタン２２が押下されたと判定されると、警備モード開始準備待ち通知ブザーを鳴動出力して（ステップＳ１３）、所定時間タイマの計時動作を開始する（ステップＳ１４）。
【００６５】
センサコントローラ２０は、所定時間タイマの計時動作を開始すると、テンキー２６による暗証番号の入力操作があったか否かを判定する（ステップＳ１５）。テンキー２６による入力操作があったと判定されると、ステップＳ１４にて計時動作を開始した所定時間タイマがタイムアップしたか否かを判定する（ステップＳ１６）。
【００６６】
センサコントローラ２０は、所定時間タイマがタイムアップすると、通常モードから警備モードに切替設定し（ステップＳ１７）、同センサコントローラ２０のコントローラＩＤ１００Ａ及びコントローラ状態（警備モード）１１１を警備監視機器５０に送信することで（ステップＳ１８）、ステップＳ１１に移行する。
【００６７】
センサコントローラ２０は、ステップＳ１１にて通常モード中でないと判定されると、現在の動作モードが警備モード中であるか否かを判定する（ステップＳ１９）。警備モード中であると判定されると、このセンサコントローラ２０が管理する監視センサ１０にて異常を検出したか否かを判定する（ステップＳ２０）。
【００６８】
センサコントローラ２０は、監視センサ１０にて異常を検出したのであれば、異常発生を報知する警報ブザーを鳴動出力して（ステップＳ２１）、センサコントローラ２０のコントローラＩＤ１００Ａ及びセンサ状態（異常あり）１１２を警備監視機器５０に送信することで（ステップＳ２２）、ステップＳ１１に移行する。
【００６９】
また、センサコントローラ２０は、ステップＳ１９にて警備モード中でないと判定されると、ステップＳ１１に移行する。また、ステップＳ２０にて監視センサ１０にて異常を検出したのでなければ、テンキー２６による暗証番号の入力操作を検出したか否かを判定する（ステップＳ２３）。
【００７０】
センサコントローラ２０は、ステップＳ２３にて暗証番号の入力操作を検出したのであれば、予め設定してある暗証番号と入力した暗証番号とが合致しているか否かを判定する（ステップＳ２４）。
【００７１】
センサコントローラ２０は、暗証番号が合致しているのであれば、警備モードを解除すべく通常モードに切替設定し（ステップＳ２５）、センサコントローラ２０のコントローラＩＤ１００Ａ及びコントローラ状態（通常モード）１１１を警備監視機器５０に送信することで（ステップＳ２６）、ステップＳ１１に移行する。
【００７２】
また、センサコントローラ２０は、ステップＳ２４にて暗証番号が合致していなければ、暗証番号が不一致であることから、警報ブザーを鳴動すべく、ステップＳ２１に移行する。
【００７３】
また、センサコントローラ２０は、ステップＳ１５にて暗証番号の入力操作を検出したのであれば、暗証番号が合致しているか否かを判定する（ステップＳ２７）。
【００７４】
センサコントローラ２０は、暗証番号が合致しているのであれば、現在設定中の通常モードを維持すべく、警備モードの設定を中止して（ステップＳ２８）、ステップＳ１１に移行する。
【００７５】
さらに、センサコントローラ２０は、ステップＳ２７にて暗証番号が合致しなければ、暗証番号が不一致であることから、警報ブザーを鳴動すべく、ステップＳ２１に移行する。
【００７６】
図９に示すモード設定処理によれば、センサコントローラ２０の警備開始ボタン２２が押下されると、警備モードに移行すると共に、暗証番号が入力され、予め登録した暗証番号と合致すると、通常モードに移行し、これら動作モードの設定切替の際にはコントローラＩＤ１００Ａ及びコントローラ状態１１１を警備監視機器５０に送信すると共に、警備モード中に監視センサ１０にて異常を検出すると、警報ブザーを鳴動出力し、コントローラＩＤ１００Ａ及びセンサ状態（異常あり）１１２を警備監視機器５０に送信するようにしたので、常に最新の警備状態情報を警備監視機器５０に知らせることができる。
【００７７】
次に警備状態情報通報処理に関わる警備監視機器５０の動作について説明する。図１０は警備状態情報通報処理に関わる警備監視機器５０の処理動作を示すフローチャートである。
【００７８】
図１０に示す警備状態情報通報処理とは、各センサコントローラ２０から受信した警備状態情報をデータベース６１に順次記憶すると共に、この最新の警備状態情報を中央警備センタ４０に通報する処理である。尚、警備監視機器５０は、通常、各センサコントローラ２０からの最新の警備状態情報の受信を監視する監視モードと、最新の警備状態情報を受信すると、この最新の警備状態情報をデータベース６１に記憶更新しながら、最新の警備状態情報を中央警備センタ４０に通報する通報モードとに分けることができる。
【００７９】
図１０において警備監視機器５０は、コントローラ通信部６２を通じて各センサコントローラ２０から警備状態情報を受信したか否かを判定する（ステップＳ３１）。
【００８０】
警備監視機器５０は、この警備状態情報を受信したのであれば、この警備状態情報内に含まれるコントローラＩＤ１００Ａが登録済みであるか否かを判定する（ステップＳ３２）。尚、警備監視機器５０は、管理する全センサコントローラ２０の全コントローラＩＤ１００Ａを登録しているものとする。
【００８１】
警備監視機器５０は、ステップＳ３２にてコントローラＩＤ１００Ａが登録済みであると判定されると、中央警備センタ４０に最新の警備状態情報を通報すべく、通報モードに切替設定し（ステップＳ３３）、データ更新部６３を通じて、データベース６１内の該当コントローラＩＤ１００Ａに対応するコントローラ状態１１１やセンサ状態１１２を最新の警備状態情報に記憶更新する（ステップＳ３４）。
【００８２】
警備監視機器５０のセンタ通信部６４は、ステップＳ３４にてデータベース６１へのデータ更新が終了すると、この最新の警備状態情報を、電話回線を通じて中央警備センタ４０に通報し（ステップＳ３５）、中央警備センタ４０への通報が完了したか否かを判定する（ステップＳ３６）。尚、このステップＳ３６は、最新の警備状態情報が中央警備センタ４０に通報できるまで継続するためのものである。
【００８３】
警備監視機器５０は、ステップＳ３６にて中央警備センタ４０への通報が完了すると、センサコントローラ２０からの警備状態情報の受信を監視する監視モードに設定することで（ステップＳ３７）、この処理動作を終了する。
【００８４】
図１０に示す警備情報通報処理によれば、各センサコントローラ２０から最新の警備状態情報を受信すると、この最新の警備状態情報をデータベース６１に記憶更新すると共に、最新の警備状態情報を中央警備センタ４０に通報するようにしたので、中央警備センタ４０への通報に支障を来たすことなく、各センサコントローラ２０の警備状態情報の閲覧が可能となる。
【００８５】
次に警備状態確認処理に関わる警備監視機器５０の動作について説明する。図１１は警備状態確認処理に関わる警備監視機器５０の処理動作を示すフローチャートである。
【００８６】
図１１に示す警備状態確認処理とは、警備監視機器５０及び中央警備センタ４０間の電話回線を確保しながら、携帯電話機９０からインターネット経由で最新の警備状態情報を閲覧することができる処理である。尚、携帯電話機９０のユーザは、警備監視機器５０へのＩＰアドレスを認識しているものとする
【００８７】
図１１において警備監視機器５０の外部アクセス制御部６７は、外部アクセス通信部６５を通じて携帯電話機９０からの外部アクセス要求を検出したか否かを判定する（ステップＳ４１）。
【００８８】
外部アクセス制御部６７は、携帯電話機９０からの外部アクセス要求を検出したと判定されると、入居者名、パスワード及び連絡先電話番号の入力を検出したか否かを判定する（ステップＳ４２）。
【００８９】
外部アクセス制御部６７のアクセス要求許可判定部６７Ａは、入居者名、パスワード及び連絡先電話番号の入力を検出したのであれば、これら入力した入居者名、パスワード及び連絡先電話番号が図８に示す入居者テーブル１３０内の入居者名１３１、パスワード１３２及び連絡先電話番号１３３と合致しているか否かを判定する（ステップＳ４３）。
【００９０】
アクセス要求許可判定部６７Ａは、入居者名、パスワード及び連絡先電話番号が合致していると判定されると、通報モード中であるか否かを判定する（ステップＳ４４）。
【００９１】
アクセス要求許可判定部６７Ａは、通報モード中であると判定されると、中央警備センタ４０への通報を優先し（ステップＳ４５）、入居者ＩＤ１００Ｃに対応した全ての警備状態情報をデータベース６１から検索し（ステップＳ４６）、このデータベース６１からウェブ閲覧部６６で入居者ＩＤ１００Ｃに対応した警備状態情報を外部アクセス要求したユーザの携帯電話機９０に閲覧提供し（ステップＳ４７）、この処理動作を終了する。
【００９２】
ステップＳ４１にて外部アクセス要求を検出したのでなければ、この処理動作を終了する。
【００９３】
ステップＳ４２にて入居者名、パスワード及び連絡先電話番号の入力を検出したのでなければ、又はステップＳ４３にて入居者名、パスワード及び連絡先電話番号が合致したのでなければ、携帯電話機９０からの外部アクセス要求を拒否するアクセス拒否メッセージを外部アクセス要求したユーザの携帯電話機９０に通知することで（ステップＳ４８）、この処理動作を終了する。
【００９４】
図１１に示す警備状態確認処理によれば、警備監視機器５０及び中央警備センタ４０間の電話回線を確保しながら、携帯電話機９０からインターネット経由で外部アクセス要求を検出し、さらに外部アクセス要求が許可できると判定されると、最新の警備状態情報をインターネット経由で携帯電話機９０に提供するようにしたので、入居者は、携帯電話機９０を使用することで外出先からでも、最新の警備状態情報を閲覧することができる。
【００９５】
尚、入居者は、携帯電話機９０を使用することで外出先からでも自分の住戸の警備状態情報を閲覧することができるが、さらに、本実施の形態を示す警備監視システム１においては、携帯電話機９０を使用することでセンサコントローラ２０の動作モードを遠隔操作で設定変更することができる。
【００９６】
では、このような遠隔操作機能の動作について説明する。
【００９７】
例えば入居者が携帯電話機９０から自分の住戸の警備状態情報を閲覧中に、この警備状態情報内のコントローラ状態が通常モードだったとする。入居者は自分の住戸のセンサコントローラ２０が通常モードであることを確認することができる。
【００９８】
そこで、入居者が自分の住戸のセンサコントローラ２０を通常モードから警備モードに切替設定する場合、携帯電話機９０から閲覧中の警備状態情報内の近ローラ状態を通常モードから警備モードに変更する外部アクセス要求を警備監視機器に送信する。
【００９９】
警備監視機器５０のコントローラ制御部６７Ｃは、外部アクセス通信部６５を通じて、携帯電話機９０から警備モードに変更する外部アクセス要求を検出すると、このセンサコントローラ２０の動作モードを通常モードから警備モードに移行する制御指示をコントローラコマンド部６８に通知する。
【０１００】
コントローラコマンド部６８は、コントローラ制御部６７Ｃからの制御指示に応じてセンサコントローラ用のモード変更に関わる動作コマンドを選択し、この動作コマンドを、コントローラ通信部６２を通じて変更対象のコントローラＩＤ１００Ａに対応するセンサコントローラ２０に送信する。
【０１０１】
センサコントローラ２０は、この動作コマンドを受信すると、この動作コマンドに基づいて通常モードから警備モードに切替設定することになる。
【０１０２】
従って、入居者は、携帯電話機９０を使用することで外出先からでも、遠隔操作で自分の住戸の警備状態情報に関わるセンサコントローラ２０の動作モードを設定変更することができる。
【０１０３】
本実施の形態によれば、警備状態情報を検出すると、この警備状態情報をデータベース６１に一時記憶しておき、ＬＡＮ接続ポート５７を通じて外部アクセス要求を検出すると、データベース６１に一時記憶中の警備状態情報をインターネット経由で閲覧できるようにしたので、最新の警備状態情報を中央警備センタ４０に通報する電話回線接続ポート５６を確保しながら、ＬＡＮ接続ポート５７を通じてインターネット経由で最新の警備状態情報を閲覧することができ、しかも、複数のユーザから同時にアクセスがあったとしても最新の警備状態情報を同時に閲覧することもできる。
【０１０４】
本実施の形態によれば、アクセス要求許可判定部６７Ａにて携帯電話機９０からの外部アクセス要求が許可できると判定されると、携帯電話機９０からウェブ閲覧部６６で公開した警備状態情報への閲覧を許可し、アクセス要求許可判定部６７Ａにて携帯電話機９０からの外部アクセス要求が許可できないと判定されると、ウェブ閲覧部６６で公開した警備状態情報の携帯電話機９０からの閲覧を禁止するようにしたので、警備監視システム１のユーザ以外の第三者からのアクセスを極力排除することができる。
【０１０５】
本実施の形態によれば、携帯電話機９０からＬＡＮ接続ポート５７を通じて入居者ＩＤ１００Ｃに関わる警備状態情報を指定する外部アクセス要求を検出すると、入居者ＩＤ１００Ｃに関わる警備状態情報のみをウェブ閲覧部６６で公開し、この公開した警備状態情報だけを携帯電話機９０から閲覧できるようにしたので、ユーザは、特定の入居者ＩＤ（自分の入居者ＩＤ）に関わる警備状態情報のみを閲覧することができる。尚、入居者ＩＤ１００Ｃだけでなく、コントローラＩＤや設置場所ＩＤ等で警備対象状態を特定するようにしても良い。
【０１０６】
本実施の形態によれば、警備箇所に関わる監視センサ１０の動作を制御指示する携帯電話機９０からの外部アクセス要求を検出すると、この制御指示に基づいて、この警備箇所に関わる監視センサ１０の動作を制御するようにしたので、ユーザは、携帯電話機９０を利用して外出先からでも警備状態情報を閲覧確認できることは勿論のこと、監視センサ１０の警備箇所に赴かなくても、遠隔操作で監視センサ１０の動作を制御することができる。
【０１０７】
尚、上記実施の形態においては、携帯電話機９０からインターネット経由で警備監視機器５０にアクセスして、データベース６１に一時記憶中の警備状態情報を閲覧できるようにしたが、携帯電話機９０ではなく、ＰＣ端末やモバイル端末からであっても、同様の効果が得られることは言うまでもない。
【０１０８】
【発明の効果】
上記のように構成された本発明の警備監視装置によれば、通報出力ポート以外の外部アクセスポートで警備状態情報へのアクセスを可能とするようにしたので、最新の警備状態情報を上位システムに通報する通報出力ポートを確保しながら、外部アクセスポートを通じて外部から最新の警備状態情報へのアクセスを可能とする、例えばインターネット経由で最新の警備状態情報を閲覧することができる。
【０１０９】
本発明の警備監視装置によれば、警備状態情報を検出すると、この警備状態情報をデータベースに一時記憶しておき、外部アクセスポートを通じて外部アクセス要求を検出すると、データベースに一時記憶中の警備状態情報へのアクセスを可能にしたので、最新の警備状態情報を上位システムに通報する通報出力ポートを確保しながら、外部アクセスポートを通じて外部から最新の警備状態情報へのアクセスを可能とする、例えばインターネット経由で最新の警備状態情報を閲覧することができる。
【０１１０】
本発明の警備監視装置によれば、外部アクセスポートを通じて外部アクセス要求を検出すると、データベースに一時記憶中の警備状態情報をウェブ閲覧手段で公開し、この公開した警備状態情報へのアクセスを可能とするようにしたので、最新の警備状態情報を上位システムに通報する通報出力ポートを確保しながら、外部アクセスポートを通じてウェブ閲覧手段で公開した最新の警備状態情報へのアクセスを可能とし、さらにウェブ機能で最新の警備状態情報へのアクセスを可能とすることから、同時に複数のユーザからアクセスされたとしても、同時に全てのアクセスに対応することができる。例えばインターネット経由で最新の警備状態情報を閲覧できることはもちろんのこと、複数のユーザから同時にアクセスを受けたとしても、最新の警備状態情報を同時に閲覧することができる。
【０１１１】
本発明の警備監視装置によれば、アクセス要求許可判定手段にて前記外部アクセス要求が許可できると判定されると、前記ウェブ閲覧手段で公開した警備状態情報へのアクセスを許可し、前記アクセス要求許可判定手段にて前記外部アクセス要求が許可できないと判定されると、前記ウェブ閲覧手段で公開した警備状態情報へのアクセスを禁止するようにしたので、例えばシステムのユーザ以外の第三者からのアクセスを極力排除することができる。
【０１１２】
本発明の警備監視装置によれば、前記外部アクセスポートを通じてアクセス対象の警備対象を指定する外部アクセス要求を検出すると、前記アクセス対象の警備対象に関わる警備状態情報のみを前記ウェブ閲覧手段で公開し、この公開した警備状態情報のみへのアクセスを可能としたので、ユーザは、特定した警備対象に関わる警備状態情報だけを閲覧することができる。
【０１１３】
本発明の警備監視装置によれば、警備箇所に関わる監視センサの動作を制御指示する外部アクセス要求を検出すると、この制御指示に基づいて、この警備箇所に関わる監視センサの動作を制御するようにしたので、ユーザは、外部からでも警備状態情報を閲覧確認できることは勿論のこと、監視センサの警備箇所に赴かなくても、遠隔操作で監視センサの動作を制御することができる。
【図面の簡単な説明】
【図１】本発明の警備監視装置における実施の形態を示す警備監視システム内部の概略構成を示すシステム構成図である。
【図２】本実施の形態に関わるセンサコントローラの外観構成を示す説明図である。
【図３】本実施の形態に関わる警備監視機器の外観構成を示す説明図である。
【図４】本実施の形態に関わる警備監視機器内部の概略構成を示すブロック図である。
【図５】本実施の形態に関わる警備監視機器のデータベース内部のテーブル構成を端的に示す説明図である。
【図６】本実施の形態に関わるデータベースに一時記憶したコントローラテーブルの一例を示す説明図である。
【図７】本実施の形態に関わるデータベースに一時記憶した設置場所テーブルの一例を示す説明図である。
【図８】本実施の形態に関わるデータベースに一時記憶した入居者テーブルの一例を示す説明図である。
【図９】本実施の形態におけるモード設定処理に関わるセンサコントローラ内部の処理動作を示すフローチャートである。
【図１０】本実施の形態における警備状態情報通報処理に関わる警備監視機器内部の処理動作を示すフローチャートである。
【図１１】本実施の形態における警備状態確認処理に関わる警備監視機器内部の処理動作を示すフローチャートである。
【図１２】従来技術の警備監視システム内部の概略構成を示すシステム構成図である。
【符号の説明】
１０　監視センサ
４０　中央警備センタ（上位システム）
５０　警備監視機器（警備監視装置）
５６　電話回線接続ポート（通報出力ポート）
５７　ＬＡＮ接続ポート（外部アクセスポート）
６１　データベース
６６　ウェブ閲覧部（ウェブ閲覧手段）
６７Ａ　アクセス要求許可判定部（アクセス要求許可判定手段）
６７Ｂ　アクセス受付部（アクセス受付手段）
６７Ｃ　コントローラ制御部（監視センサ手段）
６８　　コントローラコマンド部（監視センサ手段）
【図１】
2004102624.tif 000003
【図２】
2004102624.tif 000004
【図３】
2004102624.tif 000005
【図４】
2004102624.tif 000006
【図５】
2004102624.tif 000007
【図６】
2004102624.tif 000008
【図７】
2004102624.tif 000009
【図８】
2004102624.tif 000010
【図９】
2004102624.tif 000011
【図１０】
2004102624.tif 000012
【図１１】
2004102624.tif 000013
【図１２】
2004102624.tif 000014